(57)【要約】【課題】  装飾品の裏面にシューズクリップを取り付けた靴飾りを、婦人用バッグのアクセサリであるバッグタヤームとして携帯するようにした靴飾り携帯用バッグチャームを提案する。【解決手段】  持ち手や金具に脱着自在とした鎖２５に、所定の厚みで任意形状に形成した取付盤２０を取り付け、取付盤２０に中空部２１を形成して周壁に開口２２を設けて薄板状の側板部２３を形成する。そして、装飾品の裏面にシューズクリップ１２を取り付け、シューズクリップ１２で甲皮を挟んで靴の甲部に装着する靴飾りを、シューズクリップ１２で側板部２３を挟んで取付盤２０に取り付けるようにした。【選択図】  図９
0003170084.tif 000002
【実用新案登録請求の範囲】
【請求項１】
バッグの持ち手や金具に装着する婦人用バッグのアクセサリであるバッグチャームであって、
持ち手や金具に脱着自在とした鎖２５に、所定の厚みで任意形状に形成した取付盤２０を取り付け、取付盤２０に中空部２１を形成して周壁に開口２２を設けて薄板状の側板部２３を形成し、
装飾品の裏面にシューズクリップ１２を取り付け、シューズクリップ１２で甲皮を挟んで靴の甲部に装着する靴飾りを、シューズクリップ１２で側板部２３を挟んで取付盤２０に取り付けるようにした靴飾り携帯用バッグチャーム。
【請求項２】
鎖２５に代えて紐に取付盤２０を取り付けて形成した請求項１に記載の靴飾り携帯用バッグチャーム。
【請求項３】
装飾品がコサージュである靴飾りである請求項１又は２に記載の靴飾り携帯用バッグチャーム。
【考案の詳細な説明】
【技術分野】
【０００１】
この考案は、婦人靴の甲部にシューズクリップで脱着自在とした靴飾りを携帯するための靴飾り携帯用バッグチャームに関するものである。
【背景技術】
【０００２】
パンプス等の婦人靴の甲部に、コサージュ、リボン、バッジ等の装飾品を、シューズクリップを用いて脱着自在とした靴飾りが用いられている（特許文献１参照）。この靴飾りは、コサージュ等の装飾品の裏面にシューズクリップを取り付け、シューズクリップで甲皮を挟んで靴の甲部に装着するもので、脱着自在であるから色々な靴飾りを簡単に取り替えることができ、用途に応じて靴飾りを選択し、一足の婦人靴で変化に富んだ着用を楽しめるものである。
【先行技術文献】
【特許文献】
【０００３】
【特許文献１】特開２０１０−１７９０７６号公報
【考案の概要】
【考案が解決しようとする課題】
【０００４】
一方、華美な靴飾りは仕事用（オンタイム）には不向きであるから靴から外しておき、仕事を終えた後（オフタイム）に靴飾りを靴に装着するには、靴飾りを携帯する必要がある。
【０００５】
この考案は、装飾品の裏面にシューズクリップを取り付けた靴飾りを、婦人用バッグのアクセサリであるバッグタヤームとして携帯するようにした靴飾り携帯用バッグチャームを提案し、靴飾りの携帯に便利であるとともに、装飾性、ファッション性に優れたバッグチャームを提案することを目的とするものである。
【課題を解決するための手段】
【０００６】
上記の目的を達成するため、この考案の靴飾り携帯用バッグチャームは、バッグの持ち手や金具に装着する婦人用バッグのアクセサリであるバッグチャームであって、持ち手や金具に脱着自在とした鎖２５に、所定の厚みで任意形状に形成した取付盤２０を取り付け、取付盤２０に中空部２１を形成して周壁に開口２２を設けて薄板状の側板部２３を形成する。そして、装飾品の裏面にシューズクリップ１２を取り付け、シューズクリップ１２で甲皮を挟んで靴の甲部に装着する靴飾りを、シューズクリップ１２で側板部２３を挟んで取付盤２０に取り付けるようにしたものである。
【０００７】
また、この考案の靴飾り携帯用バッグチャームは、鎖に代えて紐に取付盤２０を取り付けて形成してもよい。
【０００８】
また、靴飾りの装飾品としては、花をモチーフとしたコサージュが特に適用するものである。
【考案の効果】
【０００９】
この考案の靴飾り携帯用バッグチャームは、鎖２５又は紐に取付盤２０を取り付け、取付盤２０に薄板状の側板部２３を形成し、シューズクリップ１２で側板部２３を挟んで取付盤２０に靴飾りを取り付けるようにしたので、このバッグチャームをバッグに装着してバッグのアクセサリとして靴飾りを携帯することができる。また、シューズクリップ１２の開閉で靴飾りを取付盤２０に簡単に脱着可能であるから、靴飾りの携帯が極めて便利である。
【００１０】
また、装飾品の裏面にシューズクリップ１２を取り付けた靴飾りであれば、装飾品の種類を問わず適用可能であり、靴飾りをそのままバッグチャームとしてバッグのアクセサリとして用いる今までにない新規な手段であり、装飾性、ファッション性に優れるものである。
【図面の簡単な説明】
【００１１】
【図１】この考案の実施例で、靴飾りの正面図。
【図２】靴飾りの背面図。
【図３】靴飾りの（Ａ）留め板を閉じた状態の側面図、（Ｂ）留め板を開いた状態の側面図。
【図４】靴飾りを装着したパンプスの平面図。
【図５】バッグチャームの正面図。
【図６】取付盤の側面図。
【図７】取付盤の断面図。
【図８】取付盤の平面図。
【図９】靴飾りを取り付けた状態の取付盤の側面図。
【図１０】靴飾りを取り付けた状態のバッグチャームの正面図。
【考案を実施するための形態】
【００１２】
以下にこの考案の実施形態について、図面を用いて具体的に説明する。
図面はこの考案の実施例で、図１から３に靴飾りを示す。この靴飾りは、装飾品として花をモチーフとしたコサージュ１０の裏面に、シューズクリップ１２を取り付けて形成した汎用品である。シューズクリップ１２は、図３に示すように留め板１２ａが回動して開閉し、留め板１２ａを閉じてバネ力で甲皮を堅固に挟み、図４に示すように、例えばパンプス１５の爪先側甲部に装着する。このように靴飾りは、留め板１２ａの開閉で脱着自在である。
【００１３】
図５から８にバックチャームを示す。このバックチャームは、鎖２５の一端に脱着用フック２６、他端に樹脂製取付盤２０が取り付けられている。取付盤２０は、所定の厚みでハート形に形成され、周壁上面に設けた開口２２に連通した中空部２１を形成し、その結果、表裏両面の上部に薄板状の側板部２３が形成されている（図７参照）。
【００１４】
図９、１０に、靴飾りを取付盤２０に取り付けた状態を示す。図に示すように、留め板１２ａを開口２２から中空部２１内に挿入した状態で、シューズクリップ１２で側板部２３を挟んで靴飾りを取付盤２０に簡単に取り付けることができる。図９に示すように、一対の靴飾りを取付盤２０の表裏両面に取り付けることができる。靴飾りを取り付けたバッグチャームを、バッグの持ち手に鎖２５を巻いたり、バッグの金具にフック２６で留めたりしてバッグに装着し、バッグのアクセサリとして靴飾りを携帯する。
【００１５】
以上実施例について説明したが、この考案のバッグチャームは、装飾品の裏面にシューズクリップ１２を取り付けた靴飾りであれば、装飾品の種類を問わず適用可能である。また、鎖２５に代えて、紐（ストラップ）でバッグに装着するバッグチャームとして形成することもでき、取付盤２０は、留め板１２ａを開口２２から中空部２１内に挿入して表裏両面への靴飾りの取り付けが容易なように、所定の厚みを設ければ、その形状、デザインは任意である。
【符号の説明】
【００１６】
１２  シューズクリップ
２０  取付盤
２１  中空部
２２  開口
２３  側板部
２５  鎖
【図１】
0003170084.tif 000003
【図２】
0003170084.tif 000004
【図３】
0003170084.tif 000005
【図４】
0003170084.tif 000006
【図５】
0003170084.tif 000007
【図６】
0003170084.tif 000008
【図７】
0003170084.tif 000009
【図８】
0003170084.tif 000010
【図９】
0003170084.tif 000011
【図１０】
0003170084.tif 000012